(57)【要約】      （修正有）【課題】傘を立て置き可能な石突構造を提供する。【解決手段】傘を立て置き可能な石突構造であって、固定ポスト１０と、可動スリーブ２０と、スプリング３０と、少なくとも二枚の石突フラップ４０とを備える。可動スリーブは固定ポストの下端に上下可動的に被せられ、スプリングの両端は固定ポスト及び可動スリーブにそれぞれ当接し、スプリングは可動スリーブを下方に復帰させ、石突フラップは固定ポストの外周に配置され、各々の石突フラップの上端はいずれも固定ポストの上端側部に枢接され、各々の石突フラップにはいずれもリンク５０が設けられ、各々のリンクの上端は対応する石突フラップに枢接され、下端はいずれも可動スリーブの上端側面に枢接されている。可動スリーブを水平面に押当てると、各々の石突フラップが自動的に開いて、安定したスタンドを形成する。【選択図】図２
0003209077.tif 000002
【実用新案登録請求の範囲】
【請求項１】
傘を立て置き可能な石突構造であって、固定ポストと、可動スリーブと、スプリングと、少なくとも二枚の石突フラップとを備えており、
前記可動スリーブは固定ポストの下端に上下可動的に被せられており、
前記スプリングの両端は固定ポスト及び可動スリーブにそれぞれ当接しており、スプリングは可動スリーブを下方に復帰させ、
前記少なくとも二枚の石突フラップは固定ポストの外周に配置されており、各々の石突フラップの上端はいずれも固定ポストの上端側部に枢接されており、各々の石突フラップにはいずれもリンクが設けられており、各々のリンクの上端は対応する石突フラップに枢接されており、各々のリンクの下端はいずれも可動スリーブの上端側面に枢接されており、
閉じた状態にて、前記少なくとも二枚の石突フラップは固定ポスト及び可動スリーブを覆い、可動スリーブの下端が石突の下端から突出し、そして開く状態にて、可動スリーブが極限位置にまで移動すると、各々の石突フラップが互いに展開する、ことを特徴とする傘を立て置き可能な石突構造。
【考案の詳細な説明】
【技術分野】
【０００１】
本考案は傘分野の技術に関し、とりわけ傘を立て置き可能な石突構造に関する。
【背景技術】
【０００２】
傘は陽光又は雨、雪を遮る道具である。一般的には油紙、油布又は合成樹脂布等でなる。雨傘の英語Ｕｍｂｒｅｌｌａはラテン語のＵｍｂｒａを語源とし、陽光を遮る、陰という意味がある。現代の傘は石突を備える。
【考案の概要】
【考案が解決しようとする課題】
【０００３】
しかしながら、現在、傘の石突はいずれも一体型尖状構造であって、傘全体を水平面上に立て置きすることができず、もし立て置きしたいのであれば、傘立てを用いることになり、傘立てを用いなければ傘を立て置きすることができないことから、使用者の使用上での不便をもたらしていた。
【０００４】
これに鑑み、本考案では従来技術における不足を対象とするものであり、主な目的は、従来の傘石突では傘を水平面上に立て置きできず使用上で不便があるという問題を効果的に解決することができる傘を立て置き可能な石突構造を提供するというものである。
【課題を解決するための手段】
【０００５】
上記目的を実現するための、本考案の技術手段は以下の通りである。
【０００６】
傘を立て置き可能な石突構造であって、固定ポストと、可動スリーブと、スプリングと、少なくとも二枚の石突フラップとを備える。可動スリーブは固定ポストの下端に上下可動的に被せられる。前記スプリングの両端は固定ポスト及び可動スリーブにそれぞれ当接しており、スプリングは可動スリーブを下方に復帰させ、少なくとも二枚の石突フラップは固定ポストの外周に配置されており、各々の石突フラップの上端はいずれも固定ポストの上端側部に枢接されており、各々の石突フラップにはいずれもリンクが設けられており、各々のリンクの上端は対応する石突フラップに枢接されており、各々のリンクの下端はいずれも可動スリーブの上端側面に枢接される。閉じた状態にて、少なくとも二枚の石突フラップは固定ポスト及び可動スリーブを覆い、可動スリーブの下端が石突の下端から突出し、そして開く状態にて、可動スリーブが極限位置にまで移動すると、各々の石突フラップが互いに展開する。
【０００７】
本考案は従来技術と比べても顕著な長所及び有益な効果を備えており、これは上記技術手段により理解され得る。
【０００８】
本製品は傘に取付けて、各々の石突フラップは自動的に開閉可能となっており、使用に際しては、可動スリーブを水平面に押当てると、各々の石突フラップが自動的に開いて、本製品は安定したスタンドを形成することで、傘を水平面上に安定的に立て置きして、傘の立て置きが実現されるため、製品の使用は非常に便利となる。
【図面の簡単な説明】
【０００９】
【図１】本考案の第一の好ましい実施例の組立て立体概略図である。
【図２】本考案の第一の好ましい実施例の分解図である。
【図３】本考案の第一の好ましい実施例の断面図である。
【図４】本考案の第二の好ましい実施例の組立て立体概略図である。
【図５】本考案の第二の好ましい実施例の分解図である。
【図６】本考案の第二の好ましい実施例の断面図である。
【考案を実施するための形態】
【００１０】
図１ないし図３を参照されたい。本考案の第一の好ましい実施例の具体的な構造を図示しており、固定ポスト１０と、可動スリーブ２０と、スプリング３０と、少なくとも二枚の石突フラップ４０とを備える。
【００１１】
可動スリーブ２０は固定ポスト１０の下端に上下可動的に被せられる。スプリング３０の両端は固定ポスト１０及び可動スリーブ２０にそれぞれ当接しており、スプリング３０は可動スリーブ２０を下方に復帰させる。少なくとも二枚の石突フラップ４０は固定ポスト１０の外周に配置されており、各々の石突フラップ４０の上端はいずれも固定ポスト１０の上端側部に枢接されており、各々の石突フラップ４０にはいずれもリンク５０が設けられており、各々のリンク５０の上端は対応する石突フラップ４０に枢接されており、各々のリンク５０の下端はいずれも可動スリーブ２０の上端側面に枢接される。
【００１２】
本実施例において、前記固定ポスト１０の上端側面には第一枢接部１１が凸設されており、石突フラップ４０の上端には第二枢接部４１が凸設されており、第二枢接部４１は第一ピン６１を介して第一枢接部１１に枢接される。前記リンク５０の上端には回転軸部５１が凸設されており、回転軸部５１はストッパ６２を介して石突フラップ４０の内側面に取付けられており、前記ストッパ６２はビス６３により石突フラップ４０の内側面に緊締される。前記リンク５０の下端は第三枢接部５２を備えており、可動スリーブ２０の上端側面には第四枢接部２１が凸設されており、第四枢接部２１は第二ピン６４を介して第三枢接部５２に枢接される。前記スプリング３０は固定ポスト１０の下端外側面に被せられる。しかも、前記石突フラップ４０は均一に配置されている三枚であって、三枚の石突フラップ４０は開いたときに、安定的な支持を実現することができる。
【００１３】
使用に際しては、固定ポスト１０の上端が傘のメインシャフト６５の頂部に固接されていることから、傘の使用中又は畳んで立て置きしていない時、図１に示すように、複数枚の石突フラップ４０は閉じた状態にあり、複数枚の石突フラップ４０が固定ポスト１０及び可動スリーブ２０を覆い、可動スリーブ２０の下端が石突フラップ４０の下端から突出する。使用者が傘を立て置きする際には、複数枚の石突フラップ４０が自動的に、つまり具体的に言えば、可動スリーブ２０が傘の重力作用により、可動スリーブ２０が固定ポスト１０に対して上向きに極限位置にまで移動するが、可動スリーブ２０は移動する過程において、対応する石突フラップ４０がリンク５０を介して開き、各々の石突フラップ４０が互いに展開して、各々の石突フラップ４０が互いに展開した時に、本考案は安定したスタンドを形成して、傘を水平面上に安定的に立て置きすることができる。傘が持ち上げられると、スプリング３０の作用により、可動スリーブ２０が固定ポスト１０に対して下向きに移動するとともに、リンク５０の作用により、各々の石突フラップ４０が閉じ合わさる。
【００１４】
図４ないし図６を参照されたい。本考案の第二の好ましい実施例の具体的な構造を図示しており、本実施例の具体的な構造は前記第一の好ましい実施例の具体的な構造と略同じであるが、以下の相違点がある。
【００１５】
本実施例において、前記固定ポスト１０の上端には挟持機構７０が固定されており、挟持機構７０はハウジング７１を備えており、ハウジング７１の頂部にはハウジング７１内部に連通する貫通穴７０１が設けられており、ハウジング７１内部には少なくとも二つのクランプ７２が設けられており、少なくとも二つのクランプ７２の間には石突を挟持するための挟持穴７０２が形成されており、挟持穴７０２は貫通穴７０１に互いに対向しており、各々のクランプ７２に対していずれも作用体７３が設けられており、作用体７３はクランプ７２とハウジング７１の内部との間に付勢的に当接される。前記各々のクランプ７２の外側面上にはいずれもソフトラバー７４が設けられており、ソフトラバー７４は挟持穴７０２内に位置する。
【００１６】
具体的に言えば、本実施例において、ハウジング７１はトップカバー７１１とボトムカバー７１２とを有しており、ボトムカバー７１２はトップカバー７１１の底部を塞いでおり、前記貫通穴７０１はトップカバー７１１の頂部に設けられており、トップカバー７１１とボトムカバー７１２とが囲むように収容空間７０３を形成しており、クランプ７２及び作用体７３はいずれも収容空間７０３内に設けられる。そして、クランプ７２は三つであり、三つのクランプ７２が協働して外部の傘を挟持固定する。また、作用体７３はスプリングである。
【００１７】
本実施例における挟持機構７０は如何なる傘の石突にも適用することができ、使用に際しては、石突を貫通穴７０１に通して、更に挟持穴７０２内に挿入するだけでよく、取り外しも非常に簡便となっており、そして本実施例のその他部材の動作原理は前記第一の好ましい実施例の動作原理と同一であることから、ここでは本実施例の動作原理については詳細な説明は行わない。
【００１８】
本考案の設計のポイントは以下にある：本製品は傘に取付けて、各々の石突フラップは自動的に開閉可能となっており、使用に際しては、可動スリーブを水平面に押当てると、各々の石突フラップが自動的に開いて、本製品は安定したスタンドを形成することで、傘を水平面上に安定的に立て置きして、傘の立て置きが実現されるため、製品の使用は非常に便利となる。
【００１９】
上記は単に本考案の好ましい実施例に過ぎないうえ、本考案の技術範囲に何らかの制限を加えるものではないため、本考案の実体的な技術に基づいて上記実施例に何らかの細かな修正、等価の変化及び付加を行ったものは、本考案の技術思想の範囲内に含まれるものである。
【符号の説明】
【００２０】
１０    固定ポスト、
１１    第一枢接部、
２０    可動スリーブ、
２１    第四枢接部、
３０    スプリング、
４０    石突フラップ、
４１    第二枢接部、
５０    リンク、
５１    回転軸部、
５２    第三枢接部、
６１    第一ピン、
６２    ストッパ、
６３    ビス、
６４    第二ピン、
６５    メインシャフト、
７０    挟持機構、
７１    ハウジング、
７１１    トップカバー、
７１２    ボトムカバー、
７２    クランプ、
７３    作用体、
７４    ソフトラバー、
７０１    貫通穴、
７０２    挟持穴、
７０３    収容空間。
【図１】
0003209077.tif 000003
【図２】
0003209077.tif 000004
【図３】
0003209077.tif 000005
【図４】
0003209077.tif 000006
【図５】
0003209077.tif 000007
【図６】
0003209077.tif 000008